(57)【要約】通信アクセス技術（ＣＡＴ）を検知するマルチモード無線通信装置１５０について説明する。マルチモード無線装置１５０は、少なくとも１つのアンテナ１０２、１５１に動作可能に接続されたマルチモード送受信機モジュール１０８を含む。マルチモード送受信機モジュール１０８は、少なくとも１つのアンテナ１０２、１５１に動作可能に接続された少なくとも２つの通信アクセス技術（ＣＡＴ）送受信機モジュール１５２、１５３、１５４、１５６を有し、各ＣＡＴ送受信機モジュールは、ＣＡＴ受信機要件に準拠する。ＣＡＴ検知モジュール１１０は、ＣＡＴ送受信機アンテナ１０２に動作可能に接続されており、ＣＡＴ受信機要件とは異なる要件に準拠する。ＣＡＴ検知モジュール１１０は、各ＣＡＴ送受信機モジュール１５３、１５４、１５６と関連づけられた複数のＣＡＴ  ＲＦエネルギーレベルを検知するように構成されている。少なくとも１つのＣＡＴ閾値レベルは、対応するＣＡＴ受信機モジュールを作動させることなく、検知されたＣＡＴ  ＲＦエネルギーレベルと比較される。【選択図】図３
2010539862.tif 000002
【特許請求の範囲】
【請求項１】
それぞれが通信アクセス技術（ＣＡＴ）受信機要件に準拠し、少なくとも１つのアンテナに動作可能に接続された少なくとも２つのＣＡＴ送受信機モジュールを備えると共に、少なくとも１つのアンテナに動作可能に接続されたマルチモード送受信機モジュールと、
ＣＡＴ送受信機アンテナに動作可能に接続され、前記ＣＡＴ受信機要件とは異なる要件に準拠し、各ＣＡＴ送受信機モジュールに関連づけられた複数のＣＡＴ  ＲＦエネルギーレベルを検知するように構成されたＣＡＴ検知モジュールと、
その対応する前記ＣＡＴ受信機モジュールを作動させることなく、前記検知したＣＡＴ  ＲＦエネルギーレベルと比較される少なくとも１つの非アクティブＣＡＴ閾値レベルと、を備えるマルチモード無線装置。
【請求項２】
アクティブ状態に入るように構成されている第１ＣＡＴ送受信機モジュールと、
非アクティブ状態にあるように構成されている第２ＣＡＴ送受信機モジュールと、をさらに含み、
前記ＣＡＴ検知モジュールは、前記第２非アクティブＣＡＴ送受信機モジュールに対応するＣＡＴ  ＲＦエネルギーレベルを検知するように構成されている請求項１に記載のマルチモード無線装置。
【請求項３】
前記第２非アクティブＣＡＴ送受信機モジュールは、第２の検知したＣＡＴエネルギーレベルが、第２非アクティブＣＡＴ閾値レベルを超える場合に作動するように構成されている請求項２に記載のマルチモード無線装置。
【請求項４】
前記無線規格は、符号分割多元接続（ＣＤＭＡ）、グローバルシステムフォーモバイルコミュニケーションズ（ＧＳＭ）、ユニバーサルモバイルテレコミュニケーションシステム（ＵＭＴＳ）、ユニバーサルモバイルブロードバンド（ＵＭＢ）、無線ローカルエリアネットワーク（ＷＬＡＮ）、無線パーソナルエリアネットワーク（ＷＰＡＮ）、モバイルブロードバンド無線アクセス（ＭＢＷＡ）及び、ワールドワイドインターオペラビィティフォーマイクロウェーブアクセス（ＷｉＭＡＸ）からなる規格のグループから選択される請求項１に記載のマルチモード無線装置。
【請求項５】
前記ＣＡＴ検知モジュールは、前記検知されたＣＡＴ  ＲＦエネルギーレベルと関連づけられた前記無線規格を決定するように構成されている請求項４に記載のマルチモード無線装置。
【請求項６】
前記ＣＡＴ検知モジュールは、その対応する前記非アクティブＣＡＴ閾値を超えた場合のみ非アクティブＣＡＴ受信機モジュールを作動させることで、電力消費を低減するように構成されている請求項１に記載のマルチモード無線装置。
【請求項７】
前記ＣＡＴ検知モジュールは、前記アンテナに動作可能に接続されているフィルタリングモジュールをさらに含み、
前記フィルタリングモジュールは、前記ＣＡＴ検知モジュールが処理する複数の周波数帯を選択するように構成されている請求項１に記載のマルチモード無線装置。
【請求項８】
前記マルチモード無線装置の位置を特定する位置コンポーネントをさらに含み、
前記マルチモード無線装置の前記位置により前記フィルタリングモジュールの構成を決定する請求項７に記載のマルチモード無線装置。
【請求項９】
前記フィルタリングモジュールは、特定の周波数帯を特定のＣＡＴと関連づける請求項８に記載のマルチモード無線装置。
【請求項１０】
前記ＣＡＴ検知モジュールは、前記検知されたＣＡＴ  ＲＦエネルギーレベルと関連づけられた前記無線規格を決定するように構成されている請求項９に記載のマルチモード無線装置。
【請求項１１】
前記ＣＡＴ検知モジュールによるＣＡＴ検知のために特定の周波数帯に動的に調節されるように構成されている調節可能なマッチングネットワークをさらに含む請求項１に記載の無線装置。
【請求項１２】
それぞれが前記アンテナに動作可能に接続された少なくとも２つの送受信機モジュールと、
少なくとも２つのＣＡＴ閾値レベルと、
前記少なくとも２つの非アクティブＣＡＴ送受信機モジュールから選択する手段と、をさらに含む請求項１に記載の無線装置。
【請求項１３】
それぞれが通信アクセス技術（ＣＡＴ）受信機要件に準拠し、少なくとも１つのアンテナに動作可能に接続された少なくとも２つのＣＡＴ送受信機モジュールを備えると共に、少なくとも１つのアンテナに動作可能に接続されたマルチモード送受信機モジュールと、
ＣＡＴ送受信機アンテナに動作可能に接続され、前記ＣＡＴ受信機要件とは異なる要件に準拠し、各非アクティブＣＡＴ送受信機モジュールに関連づけられた複数のＣＡＴ  ＲＦエネルギーレベルを、対応する前記ＣＡＴ送受信機モジュールを作動させることなく検知するように構成されたＣＡＴ検知モジュールと、
前記ＣＡＴ検知モジュールを作動させるトリガイベントであって、前記検知されたＣＡＴ  ＲＦエネルギーレベルと比較される少なくとも１つの非アクティブＣＡＴ閾値レベルと、前記比較の結果に基づいて前記ＣＡＴ送受信機モジュールのうちの１つを作動させる論理コンポーネントとを含む前記トリガイベントと、を備えるマルチモード無線通信装置。
【請求項１４】
前記ＣＡＴ受信機要件は、前記ＣＡＴ受信機感度要件であり、少なくとも１つの非アクティブＣＡＴ閾値は、前記ＣＡＴ送受信機モジュールと関連づけられた対応する前記ＣＡＴ受信機感度要件よりも大きい請求項１３に記載のマルチモード無線通信装置。
【請求項１５】
前記ＣＡＴ受信機要件は、無線規格に準拠する請求項１４に記載のマルチモード無線通信装置。
【請求項１６】
前記ＣＡＴ検知モジュールを作動させる前記トリガイベントは、前記マルチモード無線通信装置の位置を決定する位置コンポーネントをさらに含む請求項１３に記載のマルチモード無線通信装置。
【請求項１７】
前記ＣＡＴ検知モジュールを作動させる前記トリガイベントは、信号強度の変化を検知する手段をさらに含む請求項１３に記載のマルチモード無線通信装置。
【請求項１８】
前記ＣＡＴ検知モジュールを作動させる前記トリガイベントは、ユーザによって開始された少なくとも１つのアプリケーションと関連づけられるサービス品質（ＱｏＳ）要件をさらに含む請求項１３に記載のマルチモード無線通信装置。
【請求項１９】
対応する前記ユーザにより開始されたアプリケーションに対する前記ＱｏＳ要件に準拠する前記トリガイベントは、前記ＣＡＴ検知モジュールを作動させる請求項１８に記載のマルチモード無線通信装置。
【請求項２０】
マルチモード無線通信装置が通信アクセス技術（ＣＡＴ）を検知する方法であって、
ＣＡＴ検知モジュールをＣＡＴ送受信機アンテナに接続し、
それぞれがＣＡＴ受信機要件に準拠し、少なくとも１つのアンテナに動作可能に接続された少なくとも２つのＣＡＴ送受信機モジュールに対応するＲＦ信号を処理し、
各非アクティブＣＡＴと関連づけられた複数のＣＡＴ  ＲＦエネルギーレベルを、対応する前記ＣＡＴ送受信機モジュールを作動させることなく前記ＣＡＴ検知モジュールで検知し、
前記ＣＡＴ検知モジュールを、前記ＣＡＴ受信機要件とは異なる要件に準拠させ、
少なくとも１つのＣＡＴ閾値と前記検知されたＣＡＴ  ＲＦエネルギーレベルとを比較することにより、前記ＣＡＴ検知モジュールをいつ作動させるかを決定すること、を含む方法。
【請求項２１】
少なくとも１つの非アクティブＣＡＴ閾値は、前記ＣＡＴ送受信機モジュールと関連づけられた対応する前記ＣＡＴ受信機要件よりも大きい請求項２０に記載の方法。
【請求項２２】
前記ＣＡＴ受信機要件は無線規格に準拠する請求項２１に記載の方法。
【請求項２３】
前記ＣＡＴ検知モジュールをいつ作動させるかを決定することには、前記マルチモード無線通信装置の位置を決定することがさらに含まれる請求項２０に記載の方法。
【請求項２４】
前記ＣＡＴ検知モジュールをいつ作動させるかを決定することには、信号強度の変化を検知することがさらに含まれる請求項２に記載の方法。
【請求項２５】
前記ＣＡＴ検知モジュールをいつ作動させるかを決定することには、少なくともユーザによって開始されたアプリケーションに対応するサービス品質（ＱｏＳ）要件がさらに含まれる請求項２０に記載の方法。
【発明の詳細な説明】
【技術分野】
【０００１】
本発明は、複数の通信アクセス技術（ＣＡＴ）の存在を検知するマルチモード無線通信装置、及び、マルチモード無線通信装置によってサポートされる各ＣＡＴの検知方法に関する。
【背景技術】
【０００２】
マルチモードの無線通信装置とは、少なくとも２つの異なる通信アクセス技術（ＣＡＴ）を組み合わせる装置である。複数のＣＡＴは同じ周波数帯で動作する場合でも、それらのＣＡＴは異なる周波数で動作し、異なる無線規格を用いて動作する。マルチモード携帯端末は、例えば８００ＭＨｚにおいてｃｄｍａ２０００及びＧＳＭをサポートし、Ａ側の通信事業者及びＢ側の通信事業者を有する特定の市場においては、ｃｄｍａ２０００及びＧＳＭの組み合わせが存在することがある。例えば、ＣＤＭＡ２０００、ＷＣＤＭＡ、ＧＳＭ及び、ＷｉＦｉ等の複数のＣＡＴをサポートする無線携帯端末は、利用可能なＣＡＴを取得するにあたり、適切なＣＡＴを決定しなければならない。
【０００３】
特定のＣＡＴが利用可能でない場合、マルチモード無線通信装置は、予め定義されたサーチリストに基づいて他のＣＡＴを取得しようと試みる。予め定義されたサーチリストは、マトリックス又は参照用テーブルなどである。たとえあるシステムを使用中であっても、当該システムにおいて用いられるＣＡＴは、ユーザによって開始されたアプリケーションのタイプ又はローミング契約によるサービスの費用から、最も望ましいシステムでないことがある。従って、マルチモード無線通信装置は通常、代替ＣＡＴのサーチを続ける。
【０００４】
サーチの手順は単純であるが、ユーザの位置やシステムの利用可能性によっては、代替ＣＡＴのサーチに使われる電力が過剰となることがある。さらに、マルチモード無線通信装置がＣＡＴの同時動作ができない場合、代替ＣＡＴをサーチするために、マルチモード無線通信装置は現行のＣＡＴからはずれ、進行中のサービスの中断が必要となることが多い。マルチモード無線装置が２つのＣＡＴの同時動作をサポートしている場合でも、代替ＣＡＴのサーチには、ＣＡＴを処理するため、又はＣＡＴの利用可能性を決定するために、対応する受信機モジュールを作動させる必要がある。
【０００５】
近年のマルチモード無線通信装置は、標準性能要件によって設定された要件を満たす専用のＣＡＴ受信機回路を有する。場合によっては、無線通信事業者は、上記標準において規定されたものよりも厳しい要件を追加することがある。従って、各ＣＡＴ受信機モジュールは、対応するＣＡＴネットワークからの信号を積極的に受信しようとするマルチモード無線通信装置において、バッテリ等のシステムリソースを浪費している。
【０００６】
また、取得時間も重要である。同時動作が可能な無線装置では、取得時間をより短くするために、各ＣＡＴ受信機がネットワークを積極的に取得しようとすることが可能である。同時動作が不可能な無線マルチモード装置では、ＣＡＴをサーチする順番が、取得時間に対して劇的な影響を与える場合がある。
【０００７】
ソフトウェア無線（ＳＤＲ）に関しては、受信機チェーンを複数のＣＡＴの間で共有するが、ＳＤＲは、サーチを行うための消費電力に対して下限が設定されている標準性能要件によって規制される。よって、ここでも、各ＣＡＴは、対応するＣＡＴネットワークからの信号を受信しようと積極的に試みるためにシステムリソースを浪費している。
【発明の概要】
【０００８】
マルチモード無線装置、及び、マルチモード無線装置が通信アクセス技術（ＣＡＴ）を検知する方法について説明する。マルチモード無線装置は、マルチモード送受信機モジュールと、ＣＡＴ検知モジュールと、各ＣＡＴに対応する少なくとも１つのＣＡＴ閾値レベルと、を備える。マルチモード送受信機モジュールは、第１アンテナに動作可能に接続されている。マルチモード送受信機モジュールは、少なくとも１つのアンテナに動作可能に接続されている少なくとも２つの通信アクセス技術（ＣＡＴ）受信機モジュールを備え、各ＣＡＴ受信機モジュールは、受信機要件に準拠する。ＣＡＴ検知モジュールは、ＣＡＴ送受信機アンテナのうちの一つに動作可能に接続されており、ＣＡＴ検知モジュールは、各非アクティブＣＡＴ受信機モジュールに関連づけられた複数のＣＡＴ  ＲＦエネルギーレベルを、対応するＣＡＴ送受信機モジュールを作動させることなく検知するように構成されている。
【０００９】
ＣＡＴ検知モジュールは、ＣＡＴ受信機の要件とは異なる要件に準拠してもよい。ＣＡＴ受信機の要件は、無線規格要件に基づくものでもよいし、無線通信事業者によって設定されたより厳しい要件に基づくものでもよい。各非アクティブＣＡＴ閾値レベルは、検知したＣＡＴ  ＲＦエネルギーレベルと比較されるように構成されており、その比較の結果と検知したＣＡＴ使用の必要性に基づいて、ＣＡＴ送受信機の作動の決定を下すことができる。
【００１０】
また、マルチモード無線通信装置は、マルチモード送受信機モジュールと、ＣＡＴ検知モジュールと、トリガイベントと、を備える。マルチモード送受信機モジュールは、アンテナに動作可能に接続されている。マルチモード送受信機モジュールは、アンテナに動作可能に接続されている少なくとも２つの通信アクセス技術（ＣＡＴ）送受信機モジュールを備え、各ＣＡＴ送受信機モジュールは、ＣＡＴ受信機要件に準拠する。ＣＡＴ検知モジュールは、ＣＡＴ送受信機アンテナに動作可能に接続されている。ＣＡＴ検知モジュールは、ＣＡＴ受信機要件とは異なる要件に準拠する。また、ＣＡＴ検知モジュールは、各非アクティブＣＡＴ受信機モジュールと関連づけられたＣＡＴ  ＲＦエネルギーレベルを、対応するＣＡＴ送受信機モジュールを作動させることなく検知する。トリガイベントにより、ＣＡＴ検知モジュールが作動する。トリガイベントは、検知したＣＡＴ  ＲＦエネルギーレベルと比較される少なくとも１つの非アクティブＣＡＴ閾値レベルと、比較の結果に基づいてＣＡＴ送受信機モジュールの１つを作動させる論理コンポーネントと、を備える。
【００１１】
マルチモード無線通信装置が通信アクセス技術を検知する方法についても説明する。当該方法には、ＣＡＴ検知モジュールをＣＡＴ送受信機アンテナに接続することが含まれる。また、当該方法には、少なくとも１つのアンテナに動作可能に接続されている少なくとも２つのＣＡＴ送受信機モジュールに対応するＲＦ信号を処理することが含まれ、各ＣＡＴ送受信機モジュールは、ＣＡＴ受信機要件に準拠する。そして、ＣＡＴ受信機エネルギーレベルを、対応するＣＡＴ送受信機モジュールを作動させることなく、ＣＡＴ検知モジュールで検知する。ＣＡＴ  ＲＦエネルギーレベルは、各非アクティブＣＡＴと関連づけられる。ＣＡＴ検知モジュールは、ＣＡＴ受信機要件とは異なる要件に準拠する。そして、少なくとも１つのＣＡＴ閾値と検知したＣＡＴ  ＲＦエネルギーレベルとを比較して、いつＣＡＴ検知モジュールを作動させるかを決定する。
【図面の簡単な説明】
【００１２】
【図１】図１は、複数の異なる通信帯域を用いて通信するように構成された例示的マルチモード無線を示す図である。
【図２】図２は、ＣＡＴ検知モジュールを有する例示的無線携帯端末を示す図である。
【図３】図３は、共通アンテナに動作可能に接続された４つのＣＡＴ受信機を備える他の例示的無線装置を示す図である。
【図４】図４は、ＣＡＴ検知モジュールに接続されたダイバーシティアンテナシステムを備える例示的無線装置を示す図である。
【図５】図５は、マルチモード無線通信装置が、少なくとも１つのＣＡＴを、対応するＣＡＴ送受信機モジュールを作動させることなく検知する方法の例示的フローチャートを示す図である。
【図６】図６は、例示的マルチモード無線装置が、２つのＣＡＴ送受信機モジュールのうちの一方を作動させることを決定する方法の例示的フローチャートを示す図である。
【発明を実施するための形態】
【００１３】
当業者であれば、以下の説明は例示的なものであり、限定的なものではないと理解するであろう。本開示のメリットを得ることができるそのような当業者であれば、請求項に記載された対象の他の実施形態が自明であるだろう。当業者であれば、以下に説明する無線マルチモード装置は、その構成や詳細が変更されてもよいことを理解するであろう。また、方法については、本明細書に開示する例示的方法から逸脱しない範囲で、その詳細、動作の順序などの変更がなされてもよい。
【００１４】
少なくとも２つの通信アクセス技術（ＣＡＴ）受信機モジュールと、ＣＡＴ検知モジュールを備えるマルチモード無線通信装置について説明する。各ＣＡＴ受信機モジュールは、受信機要件を有する無線規格に準拠する。ＣＡＴ検知モジュールは、各非アクティブＣＡＴ受信機モジュールと関連づけられたＣＡＴ  ＲＦエネルギーレベルを検知する。マルチモード無線通信装置は、ＣＡＴ検知モジュールによって、別個の「エネルギー」信号パスからのＲＦ信号を検知して、少なくとも１つのＣＡＴの存在を検知する。そのため、本無線装置及び方法は、ＣＡＴの検知に対する標準要件又は無線通信事業者のより厳しい要件によっては制限されない。また、ＣＡＴ検知モジュールによって集められた信号強度情報は、ネットワークに対して通信可能であるため、無線装置は、検知したＣＡＴのうちの１つに切り替えてもよい。
【００１５】
ＣＡＴ検知モジュールは、無線マルチモード無線通信装置に収容される各ＣＡＴ受信機と連動するエネルギー検知信号パスを提供する。以下に説明する例示的実施形態において、共有アンテナをＣＡＴ検知モジュールと、少なくとも１つのＣＡＴ受信機用に用いてもよい。動作中には、少なくとも１つの非アクティブＣＡＴ閾値レベルを検知したＣＡＴ  ＲＦエネルギーレベルと、対応する非アクティブＣＡＴ受信機モジュールを作動させることなく、比較する。通常、非アクティブＣＡＴ閾値は、無線規格受信機要件よりも大きい。ＣＡＴ検知モジュールは、各ＣＡＴ受信機モジュールを作動させないことによってバッテリの消費量を低減させるために用いられるエネルギー検知信号パスを提供する。
【００１６】
ＣＡＴ検知モジュールは、如何なる業界基準にも従う必要がなく、ＲＦエネルギー検知器は、専用の受信機と連動するように構成されている。ＣＡＴ検知モジュールは、無線装置によってサポートされている周波数帯に存在するＲＦエネルギーを分析し、無線装置がサポートしていないＲＦエネルギー帯については検知しない。
【００１７】
図１は、複数の異なる通信帯域を用いて通信するように構成された例示的マルチモード無線通信装置を示す。例示的システム１０において、無線装置は、異なる通信アクセス技術（ＣＡＴ）を用いて１つ以上の基地局１４、１６及び１８と通信するように構成されている無線携帯端末１２である。例示的基地局は、符号分割多元接続（ＣＤＭＡ）無線インターフェース、直交周波数分割多元接続（ＯＦＤＭＡ）無線インターフェース及び、時間分割多元接続（ＴＤＭＡ）無線インターフェース等を含むがこれらに限定されない様々な形式を用いて無線携帯端末と通信する。限定ではなく例示として、無線携帯端末１２は、１．９ＧＨｚでＣＤＭＡ技術を用いて動作するＣＡＴを用いて基地局１４と通信する。また、無線携帯端末１２は、８００ＭＨｚでＣＤＭＡを用いて動作するＣＡＴを用いて基地局１６と通信するように構成されている。また、例示的携帯端末１２は、９００ＭＨｚでＧＳＭ技術を用いて動作するＣＡＴを用いて基地局１８と通信するように構成されている。
【００１８】
また、無線携帯端末１２は、インターネットクラウド２４へのアクセスを提供するモデム２２と動作可能に接続されているＷｉ−Ｆｉアクセスポイント２０を含む無線ローカルエリアネットワーク（ＷＬＡＮ）用の信号を監視するように構成されている。動作中には、ＣＡＴ検知モジュールを有する無線携帯端末１２は、以下に詳細に説明するように、Ｗｉ−Ｆｉ  ＣＡＴ受信機モジュールを作動させることなくＷｉ−Ｆｉ信号を検知することで、ＷＬＡＮを監視し、過剰な電力消費を回避している。
【００１９】
また、例示的無線装置としての無線携帯端末１２は、モバイル携帯端末、モバイルフォン、ワイヤレスフォン、ポータブルセルフォン、セルラフォン、ポータブルフォン、携帯情報端末（ＰＤＡ）、又は、ユーザが日常的に携帯し、無線通信システムにおける動作に必要な構成要素を全て有する任意のタイプの移動端末のことである。各ＣＡＴ受信機モジュールは、受信機要件を有する無線規格に準拠する。限定ではなく例示として、無線規格は、符号分割多元接続（ＣＤＭＡ）、グローバルシステムフォーモバイルコミュニケーションズ（ＧＳＭ）、ユニバーサルモバイルテレコミュニケーションシステム（ＵＭＴＳ）、ユニバーサルモバイルブロードバンド（ＵＭＢ）、無線ローカルエリアネットワーク（ＷＬＡＮ）、無線パーソナルエリアネットワーク（ＷＰＡＮ）、モバイルブロードバンド無線アクセス（ＭＢＷＡ）、ワールドワイドインターオペラビリティフォ−マイクロウェーブアクセス（ＷｉＭＡＸ）又はＩＥＥＥ８０２．１６からなる規格のグループから選択される。当業者であれば、ワイヤレス携帯端末、モバイル携帯端末、ワイヤレスフォン及び、モバイルフォンという用語が入れ替え可能であることを理解するであろう。
【００２０】
図２は、ＣＡＴ検知モジュールを備える無線携帯端末を示す。無線携帯端末１００は、その概要を上述したように、複数の異なる通信帯域を用いて通信するように構成されるマルチモード無線通信装置である。例示的マルチモード無線携帯端末１００は、マルチモード送信機モジュール１０６とマルチモード受信機モジュール１０８に動作可能に接続されているデュプレクサに動作可能に接続されている第１アンテナ素子１０２を備える。アンテナ１０２に接続されたＣＡＴ検知モジュール１１０を示す。図示しない他の実施形態において、ＣＡＴ検知モジュール１１０がデュプレクサ１０４の受信ポートに接続されている。例示的実施形態においてＣＡＴ検知モジュール１１０は、制御モジュール１１８に動作可能に接続されており、制御モジュールリソースを用いてＣＡＴ検知モジュール１１０に対応するコンピュータ命令を処理する。例示的マルチモード送信機モジュール１０６及びマルチモード受信機モジュール１０８は、それぞれ、別々のＣＡＴを用いて通信する複数のＣＡＴ送信機モジュール及びＣＡＴ受信機モジュールを備える。当業者であれば、ＣＡＴ送信機及びＣＡＴ受信機が、ＣＡＴ送受信機として実施されてもよく、構成要素を共有してもよいことを理解するであろう。
【００２１】
例示的制御モジュール１１８は、送信機１０６及び受信機１０８に通信可能に接続されたデジタル信号プロセッサ（ＤＳＰ）１１２と、プロセッサ１１４と、ＣＯＤＥＣ１１６とを備える。当業者であれば、ＣＡＴ送信機モジュール及びＣＡＴ受信機モジュールが、典型的には対をなし、ＣＡＴ送受信機として実施されてもよいことを理解するであろう。よって、送信機、受信機、及び送受信機という用語は、本明細書においては入れ替えて用い、その区別は当業者であれば容易に明らかとなるであろう。
【００２２】
ＤＳＰ１１２は、アンテナ１０２、マルチモード送信機モジュール１０６、マルチモード受信機モジュール１０８及び、ＣＡＴ検知モジュール１１０の制御等の様々な動作を行うように構成されてもよい。プロセッサ１１４は、キーパッド１２０、メモリ１２２及び、ディスプレイ１２４に動作可能に接続されている。また、プロセッサ１１２は、符号化及び復号化を行うＣＯＤＥＣモジュール１１４に動作可能に接続されており、スピーカー又はリンガー１２６及びマイクロフォン１２８に通信可能に接続されている。ＣＯＤＥＣモジュール１１４は、ディスプレイ１２４にも通信可能に接続されており、ビデオ用の符号化及び復号化を行う。
【００２３】
例示的無線携帯端末１００は、持ち運びできるようになっている軽量小型な装置として構成され、ユーザが簡便に持ち運びするものであってもよい。また、無線携帯端末１００は、さらに呼出し動作を行うようになっており、ユーザがセルフォン又はＰＤＡ用のキーパッド等の通常のキーパッドであるキーパッド１２０を用いて手動でデータを入力できるようになっている。さらに、特定の情報の入力又は特定の選択機能を実行するためのスクロール手段等の特定の入力キーも含んでよい。入力データ又は要求は、マイクロフォン１２４から受信する音声情報又は音声情報とＤＲＭＦ信号の組み合わせから取り出してもよい。メモリモジュール１２２は、入力データの記憶、又はモバイル携帯端末１００に予め組み込まれているもしくはダウンロードされているプログラム情報の記憶に用いてもよい。
【００２４】
例示的マルチモード無線通信装置は、少なくとも１つのＣＡＴの存在を、対応する非アクティブＣＡＴ受信機モジュールを作動させることなく、検知するように構成されているＣＡＴ検知モジュール１１０を備える。また、マルチモード無線携帯端末は、複数のＣＡＴ受信機モジュールを備えるマルチモード受信機モジュール１１０を備え、各ＣＡＴは、特定のＣＡＴ受信機モジュールと関連づけられている。本明細書に示す例示的実施形態において複数のＣＡＴは、アンテナや以下に詳細に説明する例示的ベースバンドＡＳＩＣ等のハードウェアを共有するように構成されている。
【００２５】
ネットワーク通信中、マルチモード受信機モジュール１０８に関連づけられた少なくとも１つのＣＡＴ受信機モジュールがアクティブ状態にあり、他のＣＡＴ受信機モジュールは非アクティブ状態にあるため、バッテリリソースを保存している。ＣＡＴ検知モジュール１１０も、アンテナ１０２に動作可能に接続されており、アクティブＣＡＴ受信機モジュールがアクティブＣＡＴに対応するＲＦ信号を受信すると同時に、非アクティブＣＡＴ受信機モジュールと関連づけられた複数のＣＡＴ  ＲＦエネルギーレベルを検知するように構成されている。また、無線装置１００は非アクティブＣＡＴ閾値レベルを記憶し、そして、それを対応するＣＡＴ  ＲＦエナジーレベルと、非アクティブＣＡＴ受信機モジュールを作動させることなく比較する。
【００２６】
また、同時動作が可能な装置、すなわち同時に動作する２つのＣＡＴ受信機モジュールを用いて２つの別々のネットワーク、例えばＷＬＡＮとＷＷＡＮと通信する装置があってもよい。ＣＡＴ検知モジュール１１０が同時動作をアシストしてもよい。例えば、装置１００は、１つのアクティブＣＡＴ受信機モジュールだけから始め、アクティブＣＡＴの信号強度が低下し始めた場合は、ＣＡＴ検知モジュールがトリガされ、非アクティブＣＡＴの検知を開始する。また、非アクティブＣＡＴのうちの１つのエネルギーレベルが閾値よりも大きい場合、無線装置１００は、アクティブＣＡＴ受信機モジュールの動作を妨げることなく、対応するＣＡＴ受信機モジュールを用いて同時動作を始める。よって、ユーザに対して、２つのアクティブＣＡＴ通信の間におけるよりシームレスなサービスの引き渡しが提供される。
【００２７】
動作中には、マルチモード無線通信装置１００は、不要なＲＦエネルギーをフィルタにかけた後、ＣＡＴ検知モジュール１１０によってアンテナシステム１０２の出力時に取り出したＲＦサンプルを集める。限定ではなく例示として、不要なＲＦエネルギーをフィルタにかける処理には、ＣＡＴ検知モジュール１１０が送受信の性能を低下させないようにすることが含まれる。ＣＡＴ検知モジュールの性能を改善するため、送信ＲＦエネルギー信号は、帯域外のＲＦエネルギーとともにフィルタにかけられる必要がある。不要なＲＦエネルギーをフィルタにかける目的のひとつは、ノイズフロアの低下を最小限に抑え、ＣＡＴ検知モジュール１１０が、ＲＦエネルギー信号で飽和しないようにすることである。必要であれば、以下にさらに詳細に説明するように、Ａ／Ｄ変換器（ＡＤＣ）を用いるサンプリングを行う前の箇所に、自動ゲイン調整（ＡＧＣ）とともに低雑音増幅器（ＬＮＡ）を追加してもよい。ＡＤＣのコストを下げるために、アンダーサンプリングを用いてもよく、その場合、ＡＤＣにおける最大サンプルレートを関心最大信号帯域によって特定する必要がある。
【００２８】
サンプリングされた信号と関連づけられたエネルギーレベルは、特定の周波数帯及びＤＳＰ１１２が処理する変調のタイプに対応する。従って、無線装置１００の位置が分からなければ、無線装置１００が、適切なＣＡＴを決定できる。限定ではなく例示として、ＤＳＰ１１２における計算には、単純な離散的フーリエ変換のフィルタリング及び加法が含まれてもよい。結果として得られるエネルギーレベルは、静的又は動的閾値と比較して、検知の尤度を判定できる。また、この手法は、装置によってサポートされている全てのＣＡＴを一度に処理する利点がある。
【００２９】
また、無線携帯端末１００は、その現在位置、すなわち、国を判定できれば、その位置情報を用いて特定のＣＡＴを周波数帯に関連づけることができる。一実施形態においては、各国の、周波数帯とＣＡＴの関係は、無線装置１００に予めプログラムされていてもよい。周波数帯を国の位置と関連づけることにより無線装置１００は、検知した周波数帯と特定のＣＡＴ間での識別を行うように構成されている。周波数帯に対するエネルギーの検知だけでは、正しいＣＡＴを首尾よく識別することはできない。例えば、１．９ＧＨｚのエネルギーを検知することは、必ずしも、ＰＣＳ−ＣＤＭＡが使用されていることを意味するものではない。該周波数帯が、北アメリカ又は南アメリカのＧＳＭでも使用されているためである。従って、周波数帯及び特定の国々を無線装置に予めプログラミングすることで、無線は、ネットワークと無線通信するために適当なＣＡＴをより効率的に決定できる。
【００３０】
さらに、所定の基準に基づいて特定のＣＡＴを取得後、携帯端末１００は、他のＣＡＴの再選定を検討できる。従って、少なくとも１つのＣＡＴ閾値レベルを、非アクティブＣＡＴ受信機モジュールに対応する検知したＣＡＴエネルギーレベルと比較して、非アクティブＣＡＴ受信機モジュールを作動させることなく比較結果を出してもよい。
【００３１】
図３は、複数の通信アクセス技術を検知する他の例示的ポータブル無線装置のブロック図を示す。例示的無線装置１５０は、アンテナ１０２と、ダイプレクサ１０４と、マルチモード受信機モジュール１０８と、ＣＡＴ検知モジュール１１０と、を備える。ベースバンドＡＳＩＣ１５８は、図２に示したＤＳＰ１１２の操作を行う。
【００３２】
マルチモード受信機モジュール１０８には、４つのＣＡＴ受信機モジュールが含まれる。３つのＣＡＴ受信機モジュールは、ダイプレクサ１０４を介して共有アンテナ１０２に動作可能に接続されている。第１ＣＡＴ受信機モジュール１５２は、アンテナ１５１に動作可能に接続されており、ベースバンドＡＳＩＣ１５８に通信可能に接続されている。第２ＣＡＴ受信機モジュール１５３は、１．９ＧＨｚで実施されるＣＤＭＡを用いて動作する。第３ＣＡＴ受信機モジュール１５４は、８００ＭＨｚでＣＤＭＡを用いて動作し、第４ＣＡＴ受信機モジュール１５６は、９００ＭＨｚでＧＳＭを用いて動作する。ネットワーク動作中には、複数のＣＡＴ受信機モジュールのうち少なくとも１つがアクティブ状態にあり、残りのＣＡＴ受信機モジュールは、非アクティブ状態にある。ＣＡＴ検知モジュールは、アクティブ状態にあってもよいし、なくてもよい。
【００３３】
例えば、アクティブコール中、複数のＣＡＴ受信機モジュールのうちの少なくとも１つはアクティブ状態にある。ＣＡＴ検知モジュールは、トリガ機構の結果としてアクティブ状態になってもよい。ＣＡＴ検知モジュールの作動に可能なトリガ機構としては、位置情報、アクティブＣＡＴ及び検知したＣＡＴの信号強度、ユーザが開始させたアプリケーション及び、所望のサービス品質（ＱｏＳ）等が含まれる。
【００３４】
ＣＡＴ検知モジュール１１０は、アンテナ１０２に動作可能に接続されるＲＦエネルギー検知手段を提供する。ＲＦエネルギー検知手段は、少なくとも１つの非アクティブＣＡＴ受信機モジュールと関連づけられた複数のＣＡＴエネルギーレベルを検知するように構成されている。動作中において、ＲＦエネルギー検知手段は、アクティブ受信機モジュールが非アクティブＣＡＴに対応するＲＦ信号を受信すると同時に、少なくとも１つの非アクティブＣＡＴと関連づけられた複数のＣＡＴエネルギーレベルを検知するように構成されている。
【００３５】
ＣＡＴ検知モジュール１１０もアンテナ１０２に接続されており、代替ＣＡＴのサーチによって消費される電力を低減するように構成されている。ＲＦサンプルは、ＣＡＴ検知モジュール１１０によってアンテナ１０２の出力の際に取り出される。例示的実施形態において、ＣＡＴ検知モジュール１１０は、アンテナ１０２に動作可能に接続されており、低騒音増幅器（ＬＮＡ）１６２に通信可能に接続されたバンドパスフィルタ（ＢＰＦ）１６０を含む。ＢＰＦ１６０は、例示的無線装置１５０がサポートしない周波数帯をフィルタするように構成されている。従って、ＢＰＦ１６０は、ＣＡＴ検知モジュール１１０が処理する周波数帯を選択するように構成されているフィルタリングモジュールとして機能する。当業者であれば、複数の異なるタイプのフィルタリング手段又は使用可能な電子フィルタがあり、該フィルタは、アナログフィルタ、デジタルフィルタ、受動フィルタ、能動フィルタ、離散時間フィルタ、連続時間フィルタ、線形フィルタ、非線形フィルタ、無限インパルス応答フィルタ、ＦＩＲフィルタ、バンドパスフィルタ及び、他の同様のフィルタ等を含むがそれらに限定されないということを理解するであろう。
【００３６】
ＬＮＡ１６２は、アンテナが受信しＢＰＦ１６０を通過した比較的微弱な信号を増幅するように構成されている。自動ゲイン制御（ＡＧＣ）１６４は、Ａ／Ｄ変換器（ＡＤＣ）１６６を用いるサンプリングを行う前の箇所に追加してもよい。ＡＧＣ１６４は、ＡＳＩＣ１５８内に備えられたロジック回路１６７からのフィードバックによりゲインを自動的に調節する制御回路である。フィードバックを有するＡＧＣ１６４は、入力信号の変化に関係なく一定である出力信号を生成し、信号飽和を防止している。一例示的実施形態において、ＡＤＣ１６６のコストは、アンダーサンプリング及び関心最大信号帯域によってＡＤＣ１６６における最大サンプリングレートを特定することによって低減できる。フィルタリング、ゲイン調節後のサンプルを、ＡＤＣを通して取り出し、さらなる処理をベースバンドＡＳＩＣ１５８内におけるＤＳＰによって実行する。当業者であれば、上述のＣＡＴ検知モジュール１１０は例示目的のためだけに提供されたものであり、アンテナ１０２に通信可能に接続されているＢＰＦ１６０、ＬＮＡ１６２、ＡＧＣ１６４、ＡＤＣ１６６、ロジック１６７の何れか、又はこれらの任意の組み合わせで動作してもよいことを理解するであろう。
【００３７】
厳しい無線規格要件に関して、各ＣＡＴ受信機は、規格文書により明記された最低性能要件を満たさなければならない。場合によっては、通信事業者は、規格に提供されているものよりも厳格な要件を追加することがある。各ＣＡＴ受信機に対する主要なＲＦ要件の一部には、感度、シングルトーンデセンス、隣接チャネル感度、相互変調応答減衰及び、受信ダイナミックレンジが含まれる。例えば、ＣＤＭＡにおいては、感度の要件は−１０４ｄＢｍと設定されており、ＣＤＭＡ受信機は、この最低要件を満たさなければならない。一方、本明細書に説明した実施形態においては、ＣＡＴ検知モジュール１１０は、−９４ｄＢｍの感度又は１０ｄＢの緩和でよいため、非アクティブＣＡＴ閾値は、無線規格感度要件よりも大きい。閾値がより高いことで、そのＣＡＴによって取得可能なサービスの確率が増加する。
【００３８】
第１ＣＡＴ受信機モジュールを用いて無線装置によりネットワーク通信が開始された後、残りのＣＡＴ受信機モジュールは、非アクティブ状態にあるように構成されており、ＣＡＴ検知モジュール１１０は、第２非アクティブＣＡＴ受信機モジュールに対応するＣＡＴ  ＲＦエネルギーレベルを検知するように構成されている。対応する検知したＣＡＴエネルギーレベルが関連する非アクティブＣＡＴ閾値レベルを越える場合、残りの非アクティブＣＡＴ受信機モジュールのうちの１つを作動させる。
【００３９】
周波数帯におけるエネルギーレベルがＣＡＴ閾値レベルを越える場合、例示的装置１５０は、作動させるべき特定のＣＡＴを決定し、非アクティブＣＡＴ受信機の状態をアクティブ状態に換える。ＣＡＴ受信機の状態をアクティブＣＡＴ状態に換えた後に、装置とネットワーク間の無線通信が失敗することがある。その場合、対応するＣＡＴ閾値レベルは増加し、ＣＡＴ検知モジュール１１０は、ＣＡＴエネルギーレベルの検知を続ける。ＣＡＴ検知モジュール１１０は、サービスを取得する確率が上がる専用ＣＡＴ受信機と同じレベルの検知能力を必要としない。ＣＡＴ検知器が専用受信機と同じ感度を有し、閾値がその感度に近く設定されている場合、結果として、サービスを取得することなく切り替えが起こることになる。ＣＡＴを検知すると、例示的装置１５０は、対応するＣＡＴ受信機を作動させて検知を確認するため、特定のＣＡＴ受信機を頻繁に作動させる必要が減る。ＣＡＴ検知モジュール１１０は、より電力消費が少なくＣＡＴ検知の尤度を増加させる、より頻繁なサーチをサポートしてもよい。
【００４０】
例示的無線装置１５０において、アンテナ１０２に動作可能に接続されている３つの個別のＣＡＴ受信機モジュール１５３、１５４及び１５６と、個別のＣＡＴ受信機１５２に動作可能に接続されている個別アンテナ１５１がある。動作中には、通信は、アクティブＣＡＴ受信機状態において動作する４つのＣＡＴ受信機モジュールのうちの１つによって開始される。残りのＣＡＴ受信機モジュールは、閾値を超え非アクティブＣＡＴ状態がアクティブＣＡＴ状態に変わるまで、非アクティブ状態を保持する。２つのアクティブＣＡＴ受信機モジュールがある場合、無線装置１５０は、使用する好適なＣＡＴ受信機モジュールを決定するベースバンドＡＳＩＣ１５８における規則等のアクティブ受信機モジュール選択手段を求めてもよい。規則は、ＤＳＰ１１２やプロセッサ１１４等で処理されてもよいし、メモリ１２２に記憶されてもよい。規則は、ファームウェアオーバーザエア（ＦＯＴＡ）アップグレード又は、当業者に公知である方法等の他のアップグレード手段を用いてアップデートしてもよい。
【００４１】
ＣＡＴ検知モジュールは、検知したＣＡＴ  ＲＦエネルギーレベルと関連づけられた無線規格を決定するように構成されている。無線規格は、符号分割多元接続（ＣＤＭＡ）、グローバルシステムフォーモバイルコミュニケーションズ（ＧＳＭ）、ユニバーサルモバイルテレコミュニケーションシステム（ＵＭＴＳ）、ユニバーサルモバイルブロードバンド（ＵＭＢ）、無線ローカルエリアネットワーク（ＷＬＡＮ）、無線パーソナルエリアネットワーク（ＷＰＡＮ）、モバイルブロードバンド無線アクセス（ＭＢＷＡ）及び、ワールドワイドインターオペラビィティフォーマイクロウェーブアクセス（ＷｉＭＡＸ）からなる規格のグループから選択される。
【００４２】
例示的実施形態１５０において、ＣＡＴ検知モジュール１１０は、既存のアンテナ１０２を再利用し、アンテナシステムは、サポートされている周波数帯における特定のＣＡＴのために設計されているが、アンテナ１０２の帯域は、通常、複数の周波数帯における複数のＣＡＴを充分にカバーできるほど広い。そのため、関心周波数帯がアンテナ１０２から１０ｄＢから２０ｄＢの減衰を持つ場合でも、低減された感度によって、良好な信号環境下におけるＣＡＴの検知が影響されることはない。アンテナ１０２は、ＷＬＡＮ受信機モジュールが別のアンテナ１５１を用いてもよい場合でも、他の周波数帯（例えば、２．４ＧＨｚ）においてＷＬＡＮを検知するために用いてもよい。例えば、アンテナ１０２は、８００ＭＨｚ及び１．９ＧＨｚの両方においてＣＤＭＡを採用する無線ワイドエリアネットワーク（ＷＷＡＮ）と関連づけられたＣＡＴのうちの１つをサポートするように調節されてもよく、第２アンテナ１５１は、２．４ＧＨｚにおいて無線ローカルエリアネットワーク（ＷＬＡＮ）用に最適化されている。ＷＬＡＮに関連づけられたＣＡＴは、ＷＷＡＮよりもずっと狭いカバレッジ領域を持つので、ＷＬＡＮを頻繁にサーチすることは無駄であり、過剰に電力を消費してしまう。しかしながら、ＣＡＴ検知モジュールは、ＷＬＡＮ受信機モジュールが頻繁に動作する必要性を低減するために、ＷＬＡＮアンテナ１５１（図示せず）又はアンテナ１０２のどちらかに接続してもよい。それによって、ＷＬＡＮを検知する尤度を低減することなく電力消費を低減させる。
【００４３】
ＣＡＴ検知モジュール１１０は、２つ以上のＣＡＴを同時に動作させることが可能な無線装置をアシストするように構成されてもよい。より具体的には、ＣＡＴ検知モジュール１１０は、一方のＣＡＴから他方のＣＡＴへのハンドオフにおけるネットワークをアシストするように構成されてもよい。限定ではなく例示として、例示的無線装置は、ＣＡＴ検知モジュール１１０が非アクティブＣＡＴを検知し始めるトリガとなる信号強度の低下したアクティブＣＡＴ受信機を有してもよい。そのため、複数の非アクティブＣＡＴのうちの１つのエネルギーレベルがＣＡＴ閾値よりも大きい場合、ＣＡＴ検知モジュール１１０は、アクティブＣＡＴ受信機の動作を妨げることなく、対応するＣＡＴ受信機モジュールを用いて同時動作を開始するよう、装置に通知する。装置は、新しく「検知」されたＣＡＴへのハンドオフを開始したい旨を、ネットワークに通知する。これにより、ユーザにとっては、２つのアクティブＣＡＴ通信の間におけるよりシームレスなサービスの引き渡しが提供される。ハンドオフが完了すると、以前のＣＡＴ受信機は停止される。従って、ＣＡＴ検知モジュール１１０は、信号強度が受け入れられない限りＣＡＴ受信機を作動させないことで、バッテリリソースを保存する。また、ハンドオフを受信可能な複数のＣＡＴが領域内にある場合、ＣＡＴ検知モジュール１１０は、比較のために全ての非アクティブＣＡＴ受信機を作動させることなく、全ての利用可能なＣＡＴの信号強度を比較するように構成されている。
【００４４】
ＣＡＴ検知モジュール１１０は、近年提案されているマルチモードシステムセレクション（ＭＭＳＳ）プロセスに適用も可能である。ＭＭＳＳは、例示的無線装置１５０が使用するＣＡＴを選択するアイドル状態の動作のことである。場合によって装置は、位置に基づいた優先リストを用いてＣＡＴを取得しようと試みる。別の場合、ＣＡＴのサーチは、ＭＭＳＳアルゴリズムに対する利用可能な入力に基づいてもよい。これらの入力は、位置、アプリケーション、取得履歴及び、他の同様の入力又はトリガであってもよい。例示的ＣＡＴ検知モジュール１１０によれば、検知されたＣＡＴは、ＭＭＳＳアルゴリズムに対する追加的な入力として機能してもよい。ＣＡＴ取得スキームの優先性は、ＣＡＴ検知プロセスの結果によって変化してもよい。
【００４５】
図４は、ＣＡＴ検知モジュールに接続されたダイバーシティアンテナシステムを含む他の例示的無線装置を示す。例示的無線装置１７０は、１．９ＧＨｚで動作する１ｘＥＶ−ＤＯ  ＣＡＴを用いて通信し、性能を改良するためにダイバーシティ受信アンテナシステムを採用する。ダイバーシティアンテナシステムは、第１アンテナ１７２と、第２アンテナ１８２と、を備える。第１アンテナは、ＣＡＴ受信機モジュール１７８及びＣＡＴ送信機モジュール１７６に動作可能に接続されているデュプレクサ１７４と接続されており、ＣＡＴモジュールは、ベースバンドＡＳＩＣ１８０と通信する。本開示のメリットを得ることができる当業者であれば、複数の異なるＣＡＴ受信機モジュール及びＣＡＴ送信機モジュールは、ダイバーシティアンテナシステム及びベースバンドＡＳＩＣ１８０に動作可能に接続されてもよいことを理解するであろう。
【００４６】
第２アンテナ１８２は、代替ＣＡＴの検知を最適化するために、ベースバンドＡＳＩＣ１８０によって再構成可能な調節可能なマッチングネットワーク１８４に動作可能に接続されている。調節可能なマッチングネットワーク１８４は、スイッチ１８６に動作可能に接続されている。調節可能なマッチングネットワーク１８４は、例示的ＡＳＩＣ１８０によるＣＡＴ検知のために特定の周波数帯に動的に調節されるように構成されている。例示的調節可能なマッチングネットワークのより詳細な説明は、「Ｓｙｓｔｅｍ  ａｎｄ  Ｍｅｔｈｏｄ  ｆｏｒ  Ｉｍｐｅｄａｎｃｅ  Ｍａｔｃｈｉｎｇ  ａｎ  Ａｎｔｅｎｎａ  ｔｏ  Ｓｕｂ−Ｂａｎｄｓ  ｉｎ  ａ  Ｃｏｍｍｕｎｉｃａｔｉｏｎ  Ｂａｎｄ」と題する共通に譲渡された米国特許第７１７６８４５号に提供されており、その内容が、引用により、本願明細書に組み込まれている。
【００４７】
スイッチ１８６は、１ｘＥＶ−ＤＯ  ＣＡＴ受信機モジュールにライン１８８を介して動作可能に接続されており、ベースバンドＡＳＩＣ１８０からのフィードバック１９９によって１ｘＥＶ−ＤＯサービスからＣＡＴ検知モジュール１９０に切り替えてもよい。従って、ダイバーシティアンテナシステムには、調節可能なマッチングネットワーク１８４が含まれるため、調節可能な素子は、他の周波数帯における代替ＣＡＴの検知を最適化するために、ベースバンドＡＳＩＣ１８０によって再構成されてもよい。
【００４８】
例示的ＣＡＴ検知モジュール１９０は、ＲＦエネルギーを検知する手段を提供する。ＲＦエネルギー検知手段は、少なくとも１つの非アクティブＣＡＴ受信機モジュールと関連づけられた複数のＣＡＴエネルギーレベルを検知するように構成されている。動作中においてＲＦエネルギー検知手段は、アクティブ受信機モジュールが非アクティブＣＡＴに対応するＲＦ信号を受信すると同時に、少なくとも１つの非アクティブＣＡＴと関連づけられた複数のＣＡＴエネルギーレベルを検知するように構成されている。ＣＡＴ検知モジュール１９０は、代替ＣＡＴのサーチに消費する電力を低減するように構成されている。
【００４９】
例示的ＣＡＴ検知モジュール１９０は、低騒音増幅器（ＬＮＡ）１９４に通信可能に接続されたバンドパスフィルタ（ＢＰＦ）１９２を備える。ＣＡＴ検知モジュール１９０は、アンテナ１８２に直接接続されてはいないが、ＣＡＴ検知モジュール１９０は、調節可能なマッチング回路１８４を介してアンテナ１８２に間接的に接続されており、アンテナ１８２と調節可能なマッチング回路１８４の組み合わせをアンテナシステムと見なす。ＢＰＦ１９２は、例示的無線装置１７０がサポートしない周波数帯をフィルタするように構成されているため、ＢＰＦ１９２は、ＣＡＴ検知モジュール１７０が処理する周波数帯を選択するように構成されたフィルタリングモジュールである。自動ゲイン制御（ＡＧＣ）１９６を、Ａ／Ｄ変換器（ＡＤＣ）１９７を用いるサンプリングを行う前の箇所に追加される。ＡＧＣ１９６は、ＡＳＩＣ１８０内に備えられたロジック１９８からのフィードバックによりゲインを自動的に調節する制御回路である。フィードバックを有するＡＧＣ１９６は、入力信号の変化に関係なく一定である出力信号を生成し、信号飽和を防止している。フィルタリング、ゲイン調節後のサンプルを、ＡＤＣを通して取り出し、さらなる処理をベースバンドＡＳＩＣ１５８内におけるＤＳＰによって実行する。当業者であれば、ＣＡＴ検知モジュール１９０が例示の目的のためだけに提供され、ＢＰＦ１９２、ＬＮＡ１９４、ＡＧＣ１９６、ＡＤＣ１９７、ロジック１９８の何れか、又はこれらの組み合わせで動作してもよいことを理解するであろう。
【００５０】
図５は、マルチモード無線通信装置が、少なくとも１つのＣＡＴを、対応するＣＡＴ受信機モジュールを作動させることなく、検知する方法の例示的フローチャートを示す。例示的方法は、ＣＡＴ検知モジュール、少なくとも２つの非アクティブＣＡＴ受信機モジュール及び、ＤＳＰ１１２、ベースバンドＡＳＩＣ１５８、ベースバンドＡＳＩＣ１８０、もしくはプロセッサ１１４において実現される論理コンポーネント、又は、同様の論理コンポーネント、又は、マルチモード無線通信装置と関連づけられた論理コンポーネント同士の組み合わせによって行われてもよい。
【００５１】
マルチモード無線通信装置が、通信アクセス技術（ＣＡＴ）を検知する方法について説明する。該方法には、アンテナに動作可能に接続されているＣＡＴ検知モジュールが少なくとも２つのＣＡＴ受信機モジュールに対応するＲＦ信号を処理することが含まれる。各ＣＡＴ受信機モジュールは、受信機要件を有する関連する無線規格に準拠するように構成されている。そして、次に、ＣＡＴ検知モジュールによって複数のＣＡＴ  ＲＦエネルギーレベルを検知するブロックに進み、ＣＡＴ  ＲＦエネルギーレベルは各非アクティブＣＡＴと関連づけられる。ＣＡＴ  ＲＦエネルギーレベルは、少なくとも１つのＣＡＴ閾値と比較されることで、対応するＣＡＴ受信機モジュールを作動させることなく、その比較の結果が出される。ＣＡＴ閾値は、無線規格感度要件よりも大きい。各非アクティブＣＡＴ受信機モジュールは、非アクティブＣＡＴエネルギーレベルが対応する非アクティブＣＡＴ閾値レベルを超えた場合に作動される。最近作動されたＣＡＴ受信機モジュールが非アクティブＣＡＴを用いて通信を開始できない期間において、非アクティブＣＡＴ閾値は増加する。限定ではなく例示として、無線規格は、符号分割多元接続（ＣＤＭＡ）、グローバルシステムフォーモバイルコミュニケーションズ（ＧＳＭ）、ユニバーサルモバイルテレコミュニケーションシステム（ＵＭＴＳ）、ユニバーサルモバイルブロードバンド（ＵＭＢ）、無線ローカルエリアネットワーク（ＷＬＡＮ）、無線パーソナルエリアネットワーク（ＷＰＡＮ）、モバイルブロードバンド無線アクセス（ＭＢＷＡ）及び、ワールドワイドインターオペラビィティフォーマイクロウェーブアクセス（ＷｉＭＡＸ）からなる規格のグループから選択される。
【００５２】
動作中においてＣＡＴ検知モジュールは、上述したように、アクティブＣＡＴ受信機モジュールと同時に動作するように構成されている。方法では、以下により詳細に説明するように、各非アクティブＣＡＴと関連づけられた複数の非アクティブＣＡＴエネルギーレベルを検知する。同時に、アクティブ受信機モジュールは、上述したように、アクティブＣＡＴに対応するＲＦ信号を受信する。非アクティブＣＡＴエネルギーレベルを非アクティブＣＡＴ閾値と比較することで、非アクティブＣＡＴに対応する非アクティブＣＡＴ受信機モジュールを作動させることなく、その比較の結果が出される。ＣＡＴの使用を確認するために専用ＣＡＴ受信機を起動させる必要がない限り、非アクティブＣＡＴ受信機モジュールを作動せず、非アクティブＣＡＴを検知することで、電力消費を低減させる。
【００５３】
代替ＣＡＴのサーチをいつ開始するかを決定するトリガを定義する判定ブロック２０２において方法を開始する。限定ではなく例示として、トリガは、装置の位置、位置に基づいた優先リスト、無線装置上で実行されるアプリケーション、取得履歴、ユーザにより開始されたリクエスト又はデマンド、所望ＣＡＴの周期変化等に基づいてもよいし、無線装置の動き、バッテリリソースの残量及び、同様の他の入力に基づいてもよい。さらに、限定ではなく例示として、判定ブロック２０２は、ユーザが開始したアプリケーションに必要なローミング契約やＱｏＳ要件などに基づいて、ＣＡＴ検知モジュールがどのＣＡＴをサーチするかを決定することもできる。
【００５４】
代替ＣＡＴが必要であると決定が成された場合、ＣＡＴ検知回路又はモジュールによって集められたＲＦエネルギーサンプルを取得するブロック２０４に進む。ＣＡＴ検知モジュールによって処理される複数の周波数帯は、ブロック２０４で識別されてもよい。例示として、ＣＡＴ検知モジュールは、２つの非アクティブＣＡＴ受信機モジュールに対応するサンプルを取得するように構成されている。
【００５５】
ＲＦエネルギーサンプルは、上述したように、ＣＡＴ検知回路によって処理され、その後、論理コンポーネントに通信される。例示的方法において、論理コンポーネントには、ブロック２０６と２０８に示すように２つのフィルタバンクが含まれ、例示的デジタルフィルタは、それぞれ第１周波数帯及び第２周波数帯において動作する有限インパルス応答（ＦＩＲ）フィルタである。限定ではなく例示として、第１周波数帯は、ＧＳＭのＣＡＴと関連づけられてもよく、第２周波数帯は、ＣＤＭＡのＣＡＴと関連づけられてもよい。ＷＬＡＮ周波数帯を含む他の周波数帯が、適応されてもよい。当業者であれば、２つより多いフィルタバンクを用いてもよく、また当業者であれば容易に想定できる例示的論理コンポーネントにおいて実現される、異なるデジタルフィルタが複数あることを理解するであろう。
【００５６】
限定ではなく例示として、例示的トリガは、位置により異なり、位置に依存したフィルタ係数を有するデータブロック２１０から得られる。よって、例示的無線装置の位置に応じて、利用可能又は利用可能でない特定のＣＡＴに対応する特定の周波数帯が存在する。また、例示的位置トリガは、ローミング契約や各ＣＡＴの使用を指示するユーザが開始したアプリケーションが必要とするＱｏＳを考慮したものでもよい。
【００５７】
次に、第１ＣＡＴ周波数帯については、ブロック２１２に進み、エネルギーレベルを蓄積する。判定ブロック２１６において、検知したエネルギーレベルを第１周波数帯用に算出し、検知したエネルギーレベルを対応する第１ＣＡＴ閾値レベルと比較する。この処理により、第１ＣＡＴの高い尤度での検知が提供される。第１ＣＡＴ閾値レベルは、静的でも動的でもよい。第１のＣＡＴ閾値レベルを超えなければ、ブロック２１８に進む。一方、第１ＣＡＴ閾値を超える場合、ブロック２２０へ進み、第１ＣＡＴが検知されたことを示す情報を生成する。その後、ブロック２２２に進み、例示的無線装置は、第１ＣＡＴを高い尤度で検知したこと又は、第１のＣＡＴが検知されなかったことのどちらかを通知される。
【００５８】
判定ブロック２１６で行われる動作は、高い尤度の検知だけを提供するため、第１ＣＡＴが検知されたことを確認するためにＣＡＴ受信機モジュールをブロック２２２において作動させてもよい。そして、専用の第１ＣＡＴ受信機モジュールが、第１ＣＡＴをブロック２２２において取得できない場合、判定ブロック２２３に進み、第１ＣＡＴ閾値を調節、すなわち、増加させる。従って、判定ブロック２２３からの増加した第１ＣＡＴ閾値を判定ブロック２１６に通信し、周波数帯の検知されたエネルギーレベルを最新のＣＡＴ閾値レベルと比較する。
【００５９】
図６は、例示的マルチモード無線装置が、２つのＣＡＴ送受信機モジュールのうちの一方を作動させることを決定する方法の例示的フローチャートを示す。２２２において受信した情報から続き、図６は、無線通信装置が、２つのＣＡＴ送受信機モジュールのうちの一方を作動させるべきかどうかを判断する方法の例示的フローチャートを示す。判定ブロック３０２において、第１ＣＡＴがＣＡＴ検知モジュールによって検知されたかどうかを判定する。第１ＣＡＴを検知した場合、判定ブロック３０６に進み、第１ＣＡＴをユーザにより開始されたアプリケーションのＱｏＳ要件と比較する。同じ方法を第２ＣＡＴの判定ブロック３０４と３０８において用いる。該ブロックでは、第２ＣＡＴもユーザにより開始されたアプリケーションのＱｏＳ要件を満たすかどうかが判定される。そして、判定ブロック３１０に進み、２つのＣＡＴのうちのどちらが好適かを、ＱｏＳ要件に基づいて判定する。第１ＣＡＴが第２ＣＡＴよりも好ましい場合、第１ＣＡＴに対応するＣＡＴ送受信機モジュールを３１２において作動させる。第２ＣＡＴが第１ＣＡＴよりも好ましい場合、第２ＣＡＴに対応するＣＡＴ送受信機モジュールを３１４において作動させる。
【００６０】
図６に説明した例示的マルチモード無線装置が２つのＣＡＴ送受信機モジュールのうちの一方を作動させることを決定する方法は、図５における残りのプロセスブロックにも適用可能である。図５に戻る。ブロック２０８からブロック２１４まで進む場合、第２のＣＡＴ周波数帯に対して、上記方法が繰り返され、エネルギーレベルが蓄積される。判定ブロック２２４において、検知したエネルギーレベルを第２周波数帯用に算出し、検知したエネルギーレベルを対応する第２ＣＡＴ閾値レベルと比較する。そして、この処理により、第２ＣＡＴの高い尤度での検知が提供される。第２ＣＡＴ閾値レベルは、静的でも動的でもよい。第２のＣＡＴ閾値レベルを超えなければ、ブロック２２８に進む。一方、第２のＣＡＴ閾値を超える場合、ブロック２２６へ進み、第１ＣＡＴが検知されたことを示す情報を生成する。その後、ブロック２２２に進み、例示的無線装置は、第２ＣＡＴを高い尤度で検知したこと又は、第２ＣＡＴが検知されなかったことのどちらかが通知される。
【００６１】
判定ブロック２２４で行われる動作は、高い尤度の検知だけを提供するため、第２ＣＡＴが検知されたことを確認するために、ＣＡＴ受信機モジュールをブロック２２２において作動させなければならない。そして、専用の第２ＣＡＴ受信機モジュールが、第２ＣＡＴをブロック２２２において取得できない場合、判定ブロック２２３に進み、第２ＣＡＴ閾値を増加させる。増加した閾値は、周波数帯の検知されたエネルギーレベルを、最新のＣＡＴ閾値レベルと比較する判定ブロック２２４に通信される。
【００６２】
図５において上述したフローチャートは、１つよりも多い非アクティブＣＡＴ受信機モジュールについて説明しているが、当該方法を、単一の非アクティブＣＡＴ受信機又は送受信機に適用することもできる。なお、例示的実施形態の詳細な説明は、例示的目的のために提供されたものであることを理解すべきである。特許請求の範囲はこれらの特定の実施形態又は例示に限定されない。例えば、無線携帯端末１００について説明したが、このソリューションを任意のソース電子デバイスに展開してもよい。そのため、様々な要素、詳細、方法の実施及び利用が上記と異なってもよく、さらに、まだ市販されていない技術に応用、あるいは、当該技術を用いて実現されてもよく、それらの全てが、本開示の発明概念の範囲内に含まれる。発明の範囲は以下の請求項及びその法的均等物によって決定される。
【図１】
2010539862.tif 000003
【図２】
2010539862.tif 000004
【図３】
2010539862.tif 000005
【図４】
2010539862.tif 000006
【図５】
2010539862.tif 000007
【図６】
2010539862.tif 000008
【国際調査報告】
2010539862.tif 000009
2010539862.tif 000010